(57)【要約】【課題】電源オフ状態でも、外部機器からの信号を出力可能であるとともに、内部に実装された録画再生モジュールに接続するドライバーを共通化することが可能な録画再生装置の提供を目的とする。【解決手段】ＶＣＲモジュール１１またはＤＶＤモジュール１２に供給される電源のオン／オフに基づいて、ＶＣＲモジュール１１またはＤＶＤモジュール１２のいずれかから出力される信号と、外部入力端子１３から入力される信号とを、切り替え部１４にて切り替える。このとき外部入力端子１３から入力された信号は電源のオフ時にも録画再生装置を通過して出力される。また、第一の切り替え部１４ｂ、第二の切り替え部１４ｃ、さらには第三の切り替え部１４ｄの組合せにより、電源のオン時には、ＶＣＲモジュール１１およびＤＶＤモジュール１２から出力される信号は、共通のドライバー部１５を介して出力される。【選択図】図１
2008123649.tif 000002
【特許請求の範囲】
【請求項１】
録画再生を行うためのＶＣＲモジュールとＤＶＤモジュールとを有する録画再生装置において、
外部からの信号を入力する外部入力端子と、
接点を切り替えるメカニカルリレーにて構成されるとともに、上記ＶＣＲモジュールまたはＤＶＤモジュールに電源が供給されたことを表す電源供給検出信号により、上記ＶＣＲモジュールからの信号とＤＶＤモジュールからの信号と上記外部入力端子からの信号とを切り替える切り替え部と、
上記切り替え部の切り替えにより出力されたビデオ信号に所定の信号処理を施すドライバー部とを有し、
上記切り替え部は、上記ＶＣＲモジュールへの電源の供給により出力される電源供給検出信号を受け付けると、上記ＶＣＲモジュールからの信号を出力するよう切り替えを行うとともに、上記電源供給検出信号を受け付けない場合は、上記外部入力端子からの信号を出力する第一の切り替え部と、
上記ＤＶＤモジュールへの電源の供給により出力される電源供給検出信号を受けつけると、上記ＤＶＤモジュールからの信号を出力するよう切り替えを行うとともに、上記電源供給検出信号を受け付けない場合は、上記第一の切り替え部の切り替えにより出力された信号を出力するよう切り替えを行う第二の切り替え部と、
上記ＶＣＲモジュールとＤＶＤモジュールのいずれかに電源が供給されたことにより出力される電源供給検出信号を受け付けると、上記第二の切り替え部の切り替えにより出力された信号を上記ドライバー部に入力して外部出力端子より出力するとともに、上記電源供給検出信号を受け付けない場合は、上記第二の切り替え部からの信号を上記ドライバー部を介さずに上記外部出力端子より出力するよう切り替えを行う第三の切り替え部とを有することを特徴とする録画再生装置。
【請求項２】
録画再生を行うための第一の録画再生モジュールと第二の録画再生モジュールとを有する録画再生装置において、
外部からの信号を入力する外部入力手段と、
上記第一の録画再生モジュールの電源オン時に、上記第一の録画再生モジュールからの信号を出力するよう切り替えを行うとともに、電源オフ時に上記外部入力手段からの信号を出力するよう切り替えを行う第一の切り替え手段と、
上記第二の録画再生モジュールの電源オン時に、上記第二の録画再生モジュールからの信号を出力するよう切り替えを行うとともに、上記第二の録画再生モジュールの電源オフ時に、上記第一の切り替え手段の切り替えにより出力された信号を出力するよう切り替えを行う第二の切り替え手段と、
上記第一の録画再生モジュールと第二の録画再生モジュールのいずれかの電源オン時に、上記第二の切り替え手段の切り替えにより出力された信号を、所定の信号処理を行うドライバー手段に入力して外部出力手段より出力するとともに、上記第一の録画再生モジュールと第二の録画再生モジュールとの双方の電源オフ時には、上記第二の切り替え手段からの信号を上記ドライバー手段を介さずに上記外部出力手段より出力するよう切り替えを行う第三の切り替え手段とを有することを特徴とする録画再生装置。
【請求項３】
上記第一の切り替え手段と第二の切り替え手段さらに第三の切り替え手段とは、上記第一の録画再生モジュールまたは第二の録画再生モジュールへの電源のオン／オフにより出力される電源供給検出信号により接点の切り替えを行うメカニカルリレーにより構成されることを特徴とする請求項２に記載の録画再生装置。
【発明の詳細な説明】
【技術分野】
【０００１】
複数の録画再生モジュールを有する録画再生装置において、特に外部入力端子から供給された信号をを表示装置側に出力することが可能な録画再生装置に関する。 
【背景技術】
【０００２】
図４は、外部機器と表示装置とに接続される従来の録画再生装置のブロック構成図である。録画再生装置１は、テレビジョン受信機等の表示装置と接続して、記録媒体に記録したデータの再生を行うためのものである。同図より、録画再生装置１は、記録媒体の異なる第一の録画再生モジュール２と第二の録画再生モジュール３、外部機器２００からのデータを受け取る外部入力端子４、全体の制御を行う制御部５、さらにはデータを出力する外部出力端子６とを有する構成である。ここで、第一の録画再生モジュール２、および第二の録画再生モジュール３は、記録媒体に取得したデータを記録するとともに、記録媒体に記録したデータを読み取り表示装置１００へ出力可能な機能を有するものである。
【０００３】
録画再生装置１の機能を説明する。録画再生装置１は、第一の録画再生モジュール２または、第二の録画再生モジュール３から入力されたデータを一端、制御部５に出力した後、外部出力端子６を介して表示装置１００に出力する。また、録画再生装置１は、外部入力端子４から入力されたデータを表示装置１００に出力する機能を有している。つまり、外部機器２００から入力されたデータを録画再生装置１内を通過させて、表示装置１００へ出力する。このとき、外部入力端子４を介して入力されたデータは制御部５に出力された後、外部出力端子６を介して表示装置１００へ出力される。
【０００４】
ここで、表示装置１００は、取得したデータにより映像を表示するためのものである。一例として、テレビジョン受信機、薄型ディスプレイ装置等が挙げられる。また、外部機器２００とは、データを表示装置１００に出力するものであればよい。一例としてパーソナルコンピュータ、および家庭用ゲーム機等が挙げられる。
【０００５】
上記した構成の録画再生装置１では、外部入力端子４から入力されたデータが表示装置１００へ出力されるために、制御部５が駆動し続けている必要がある。そのため、外部機器からのデータを録画再生装置１を介して表示装置１００へ出力するためには、録画再生装置１に電源が供給され続けている必要がある。しかしながら、録画再生装置１の電源を入力しつづければ当然電力は消費される。まして、録画再生装置１を、外部機器２００からのデータを表示装置１００に出力するためだけに使用する場合、録画再生装置１は本来の機能である記録媒体を用いた録画再生の機能を果たしていない。このため録画再生装置１を駆動させ続ける電力は本来の機能とは関係がなく無駄な電力である。
【０００６】
複数の外部入力端子を有する映像記録再生装置において、一つの外部入力端子から入力された信号を記録する場合でも、他の外部入力端子から入力された信号をモニタリングすることができる映像記録再生装置が開示されている（例えば、特許文献１参照。）。
【０００７】
また、外部機器と接続可能な記録再生装置において、電源オフ時にも外部機器から出力されるデータを表示装置へ出力することが可能な記録再生装置が開示されている。このような、記録再生装置では、内部に実装した録画再生モジュールからの信号と、外部入力端子を介して入力された信号との入力を切り替えるスイッチを有している。上述したスイッチにより切り替えられた信号は表示装置へ出力され映像を表示する。
【０００８】
このとき、スイッチは電源のオフにより、外部入力端子からの信号を表示装置へ出力する構成としている。また、スイッチの切り替えは、ユーザの操作により行う。そのため、ユーザの操作により録画再生モジュールからの信号、又は外部入力端子からの信号の表示装置へ出力を切り替えることができる。（例えば、特許文献２参照。）。
【特許文献１】特開平０５ー２２６８５
【特許文献２】特開２００３−１８７５２１
【発明の開示】
【発明が解決しようとする課題】
【０００９】
上述した特許文献１の発明は、次のような課題があった。つまり、特許文献１の発明に係る映像記録再生装置は、当該映像記録再生装置が録画状態であっても、外部入力端子に入力されたデータを表示装置に出力することを目的としている。そのため、映像記録再生装置に電源が供給されていない場合では、外部入力端子に入力された信号を接続した表示装置へ出力することができない。
【００１０】
また、特許文献２に記載の発明は、次のような課題がった。つまり、特許文献２のスイッチは、外部入力端子に入力された信号と、録画再生モジュールからの信号とを電源のオン／オフに合わせて切り替える構成である。しかしながら、スイッチ部から後段の回路構成が考慮されたものではない。具体的には、録画再生モジュールからの信号を外部出力端子に出力する際、録画再生モジュールと外部出力端子の間にドライバーを介在させる必要がある。このとき、使用されるドライバーの機能としては信号のノイズ除去等が挙げられる。
【００１１】
そのため、特許文献２に係る記録再生装置の場合、複数の録画生成モジュールを用いた構成では、各録画再生モジュールにドライバーを取り付ける必要が生じる。そのため、ドライバーの取り付け数だけコストアップに繋がる。さらには、ドライバーの分だけ配置するためのスペースが必要となり、記録再生装置をコンパクトにまとめることができない。  
【００１２】
本発明は、上記課題にかんがみてなされたもので、電源オフ状態でも、外部機器からの信号を表示装置へ出力可能であるとともに、内部に実装された録画再生モジュールに接続するドライバーを共通化することが可能な録画再生装置の提供を目的とする。
【課題を解決するための手段】
【００１３】
上記課題を解決するために、本発明の請求項２にかかる発明では、録画再生を行うための第一の録画再生モジュールと第二の録画再生モジュールとを有する録画再生装置において、
外部からの信号を入力する外部入力手段と、上記第一の録画再生モジュールの電源オン時に、上記第一の録画再生モジュールからの信号を出力するよう切り替えを行うとともに、電源オフ時に上記外部入力手段からの信号を出力するよう切り替えを行う第一の切り替え手段と、上記第二の録画再生モジュールの電源オン時に、上記第二の録画再生モジュールからの信号を出力するよう切り替えを行うとともに、上記第二の録画再生モジュールの電源オフ時に、上記第一の切り替え手段の切り替えにより出力された信号を出力するよう切り替えを行う第二の切り替え手段と、上記第一の録画再生モジュールと第二の録画再生モジュールのいずれかの電源オン時に、上記第二の切り替え手段の切り替えにより出力された信号を所定の信号処理を行うドライバー手段に入力して外部出力手段より出力するとともに、上記第一の録画再生モジュールと第二の録画再生モジュールのいずれかの電源オフ時には、上記第二の切り替え手段からの信号を上記ドライバー手段を介さずに上記外部出力手段より出力するよう切り替えを行う第三の切り替え手段とを有する構成としている。
【００１４】
上記のように構成した発明では、第一の録画再生モジュールの電源オン時には、第一の切り替え手段が第一の録画再生モジュールからの信号を切り替えて、第二の切り替え手段に出力する。次に、第二の切り替え手段は、第二の録画再生モジュールの電源オフ時には、第一の切り替え手段によって切り替えられた第一の録画再生モジュールからの信号を出力する。また、第二の録画再生モジュールの電源オン時には、第二の切り替えモジュールからの信号を出力する。こうして第二の切り替え手段によって切り替えられた信号は、第三の切り替え手段に出力される。第三の切り替え手段は、第一の録画再生モジュールまたは第二の録画再生モジュールのいずれかが電源オン時には、入力した信号をドライバー手段に通過させ信号を出力する。ドライバー手段は、入力される信号に所定の信号を施すものであり、信号処理の具体的な一例としては、ノイズ除去、映像データを重畳するＯＳＤ処理、さらには圧縮の解凍等が挙げられる。
【００１５】
逆に、第一の録画再生モジュールおよび第二の録画再生モジュールのいずれも電源オフ時には、第一の切り替え手段は、外部入力手段からの信号を出力する。さらに、第二の切り替え手段も同様に外部入力手段からの信号を出力する。さらに、第三の切り替え手段は外部入力手段からの信号をドライバー手段を介さず出力する。これにより第一の切り替え手段を介して入力された信号はドライバー手段を通過しない。
【００１６】
このため、第一の録画再生モジュールおよび第二の録画再生モジュールの電源のオン／オフに対応して、外部入力手段からの信号もしくは第一の録画再生モジュール又は第二の録画再生モジュールからの信号が切り替えらえて表示装置へ出力される。このとき、上述した構成により、外部入力手段から入力された信号は電源のオフ時にも録画再生装置を通過して出力されることとなる。また、このとき、第一の切り替え手段、第二の切り替え手段、さらには第三の切り替え手段の組合せにより、電源のオン時には、第一の録画再生モジュールおよび第二の録画再生モジュールから出力される信号は、共通のドライバー手段を介して出力され、ドライバーを共通化することが可能となる。
【００１７】
上述した、第一の切り替え手段、および第三の切り替え手段は、録画再生装置の電源のオン／オフによって切り替えられる構成であればよい。そのため、第一の切り替え手段、第二の切り替え手段、および第三の切り替え手段の具体的な構成の一例として、請求項３に記載の発明は、上記第一の切り替え手段と上記第三の切り替え手段とは、上記第一の録画再生装置および第二の録画再生装置の電源のオン／オフにより接点の切り替えを行うメカニカルリレーにより構成される構成としている。
【００１８】
上記のように構成された発明では、第一の切り替え手段と第二の切り替え手段とは、第一の録画再生装置および第二の録画再生装置の電源オン／オフにより接点の切り替えを行うメカニカルリレーにより構成される。このため、第一の切り替え手段と第二の切り替え手段および第三の切り替え手段の切り替えは、特定の制御信号の出力により行う必要がない。また、電源オフ時における、切り替えのための電源を外部から供給する必要がない。そのため、切り替えを簡易な構成で実現することが可能となる。
【００１９】
上記課題を解決するための具体的な構成として本発明の請求項１にかかる発明では、録画再生を行うためのＶＣＲモジュールとＤＶＤモジュールとを有する録画再生装置において、
外部からの信号を入力する外部入力端子と、上記ＶＣＲモジュールまたはＤＶＤモジュールに電源が供給されたことを表す電源供給検出信号により、接点を切り替えるメカニカルリレーにて構成され、上記ＶＣＲモジュールからの信号とＤＶＤモジュールからの信号と上記外部入力端子からの信号とを切り替える切り替え部と、上記切り替え部の切り替えにより出力されたビデオ信号に所定の信号処理を施すドライバー部とを有し、上記切り替え部は、上記ＶＣＲモジュールの電源オンにより出力される電源供給検出信号により、上記ＶＣＲモジュールからの信号を出力するよう切り替えを行うとともに、上記電源供給検出信号が出力されない場合は、上記外部入力手段からの信号を出力する第一の切り替え部と、上記ＤＶＤモジュールの電源オンにより出力される上記電源供給検出信号により、上記ＤＶＤモジュールからの信号を出力するよう切り替えを行うとともに、上記電源供給検出信号が出力されない場合は、上記第一の切り替え部の切り替えにより出力された信号を出力するよう切り替えを行う第二の切り替え部と、上記ＶＣＲモジュールとＤＶＤモジュールのいずれかの電源オンにより出力される電源供給検出信号により、上記第二の切り替え部の切り替えにより出力された信号を上記ドライバー部に入力して外部出力端子より出力するとともに、上記電源供給検出信号が出力されない場合には、上記第二の切り替え部からの信号を上記ドライバー部を介さずに上記外部出力端子より出力するよう切り替えを行う第三の切り替え部とを有する構成としてある。
【００２０】
上述した発明において、ＶＣＲモジュールが第一の録画再生モジュールに対応する。また、ＤＶＤモジュールが第二の録画再生モジュールに対応する。さらに、外部入力端子が外部入力手段に対応する。そして、第一の切り替え部が、第一の切り替え手段に対応する。また、第二の切り替え部が、第二の切り替え手段に対応する。さらに、第三の切り替え部が、第三の切り替え手段に対応する。そしてドライバー部がドライバー手段に対応する。
【発明の効果】
【００２１】
以上説明したように本発明によれば、電源オフ状態でも、外部機器からの信号を出力可能であるとともに、内部に実装された録画再生モジュールに接続するドライバーを共通化して簡易な構成とすることができる。
また請求項３にかかる発明によれば、切り替えを簡易な構成で実現することが可能となる。
さらに請求項１のような、より具体的な構成において、上述した請求項２〜請求項３の各発明と同様の作用を奏することはいうまでもない。
【発明を実施するための最良の形態】
【００２２】
以下、下記の順序に従って本発明の実施の形態を説明する。
（１）実施の形態
（１−１）録画再生装置の構成
（１−２）切り替え部の構成
（２）まとめ
【００２３】
（１）実施の形態
（１−１）録画再生装置の構成
以下、図１〜図３を参照して、この発明に係る録画再生装置を具体化した実施の形態について説明する。図１は、本発明に係る録画再生装置のブロック構成図である。録画再生装置１０は、取得したデータを録画媒体としてのビデオカセットや光ディスクに記録するとともに、記録したデータをテレビジョン受信機等の表示装置１００に出力するためのものである。また、録画再生装置１０は、パーソナルコンピュータ等の外部機器２００と表示装置との間に介在して、外部機器２００からの信号を表示装置１００へ出力することが可能である。
【００２４】
そのため、録画再生装置１０は、映像データを記録するためのＶＣＲモジュール１１およびＤＶＤモジュール１２、外部機器２００からの信号を受け付ける外部入力端子１３、ＶＣＲモジュール１１とＤＶＤモジュール１２および外部入力端子１３のいずれかから入力される信号を切り替える切り替え部１４、切り替え部１４により切り替えられた信号に所定の信号処理を実行するドライバー部１５、ドライバー部１５からの信号を表示装置１００へ出力する外部出力端子１６、切り替え部１４やＶＣＲモジュール１１、ＤＶＤモジュール１２を制御する制御部１７、さらには当該録画再生装置１０が駆動するための電源を供給する電源回路１８とを有している。
【００２５】
ＶＣＲモジュール１１は、ビデオカセットを記録媒体として、映像データの記録および記録した映像データの再生を行うためのものである。また、ＤＶＤモジュール１２は光ディスクを記録媒体として、映像データの記録および再生を行うためのものである。ＶＣＲモジュール１１およびＤＶＤモジュール１２は制御部１７の制御の基、図示しないチューナ部が取得した映像データや、外部からの映像データの録画再生を実行する。本発明の実施の形態では、録画再生モジュールとしてＶＣＲモジュールとＤＶＤモジュールを有する構成としている。しかしながら、内蔵する録画再生装置としては上記２つに限定されず、例えば記録媒体としてＨＤＤを用いたＨＤＤ録画再生モジュールであってもよい。
【００２６】
ドライバー部１５は、切り替え部１４を介して入力した信号に所定の信号処理を実行する。ドライバー部１５が実行する信号処理の一例としては入力される信号のノイズ除去が挙げられる。しかしながら、ドライバー部１５の機能としては、所定の映像データを重畳するＯＳＤ処理を施すものであってもよいし、信号を増幅させるアンプとしての働きを持つものであってもよい。
【００２７】
切り替え部１４は、ＶＣＲモジュール１１、ＤＶＤモジュール１２さらには外部入力端子１３から入力される信号のいずれかを切り替えて出力するためのものである。本発明に係る切り替え部１４は、ＶＣＲモジュール１１、およびＤＶＤモジュール１２からの信号を出力する場合は信号をドライバー部１５へ出力し、外部入力端子１３から入力される信号を出力する場合はドライバー部１５を介さず外部出力端子１６へ出力する。上述した切り替え部１４の切り替え動作は、制御部１７の制御のもと実行される。しかしながら、切り替え部１４が行う切り替え動作は制御部１７からの制御によるものに限定されず、電気信号による内部ロジックにより実行するものであってもよい。
【００２８】
制御部１７は、リモコン装置２０の操作に基づいて当該録画再生装置１０を制御するためのものである。そのため、制御部１７は、演算中枢としてのマイコン１７ａ、マイコン１７ａが所定の演算を行うためのプログラムやテーブルを記録する不揮発性メモリ１７ｂ、リモコン装置２０からの指示を受けてマイコン１７ａに出力するリモコンＩ／Ｆ１７ｃとを有する構成である。上述した構成により制御部１７は、ユーザによるリモコン装置２０の操作を受け付けると、リモコンＩ／Ｆ１７ｃを介してマイコン１７ａに操作信号を出力する。その後、マイコン１７ａは不揮発性メモリ１７ｂに記録されたプログラムを参照しつつ各構成要素の制御を行う。不揮発性メモリ１７ｂの具体的な一例としてはＲＯＭやＲＡＭが挙げられる。
【００２９】
上述した構成により録画再生装置１０は、制御部１７の制御のもと、ＶＣＲモジュール１１、ＤＶＤモジュール１２さらには外部入力端子１３からの信号を切り替え部１４にて切り替えて表示装置１００へ出力する。このとき、本発明の録画再生装置１０は、録画再生モジュール（ＶＣＲモジュール１１、ＤＶＤモジュール１２）の電源のオン／オフに基づいて、切り替え部１４の切り替えを行う構成としている。以下に切り替え部１４の具体的な構成を基に、本発明に係る録画再生装置１０の切り替え動作を説明する。
【００３０】
（２）切り替え部の構成
前述したように、切り替え部１４は、ＶＣＲモジュール１１、ＤＶＤモジュール１２さらには外部入力端子１３から入力される信号のいずれかを切り替えて出力するためのものである。さらに、本発明に係る切り替え部１４は、電源回路１８より供給される電源のオン／オフに基づいて、ＶＣＲモジュール１１、ＤＶＤモジュール１２さらには外部入力端子１３から入力される信号の切り替えを行う。つまり、電源回路１８から電源がＶＣＲモジュール１１に供給された場合は、ＶＣＲモジュール１１から出力される信号を外部出力端子１６に出力する。（以下電源回路１８から電源が供給される状態を電源オン、電源が供給されない状態を電源オフと表現する。）また、ＤＶＤモジュール１２が電源オンされた場合は、ＤＶＤモジュール１２から出力される信号を外部出力端子１６から出力する。さらに、ＶＣＲモジュール１１およびＤＶＤモジュール１２のいずれも電源オフの状態では、外部入力端子１３から入力される信号を出力する。
【００３１】
図２は、切り替え部１４の内部構成を表す図である。切り替え部１４は、外部入力端子１３と接続する信号入力端子１４ａと、外部入力端子１３とＶＣＲモジュール１１から入力される信号を切り替える第一の切り替え部１４ｂと、第一の切り替え部１４ｂの切り替えにより入力する信号とＤＶＤモジュール１２から入力する信号とを切り替える第二の切り替え部１４ｃ、さらには第二の切り替え部１４ｃから入力された信号を切り替える第三の切り替え部１４ｄとを有する構成である。
【００３２】
第一の切り替え部１４ｂ、第二の切り替え部１４ｃ、および第三の切り替え部１４ｄとは、電源回路１８から供給される電源のオン／オフにより接点の切り替えを行う。そのため、本発明の第一の切り替え部１４ｂ、第二の切り替え部１４ｃ、および第三の切り替え部１４ｄは、電源のオン／オフにより接点の切り替えを行うメカニカルリレーにより構成されている。ここで、メカニカルリレーとは、信号の入力によって磁力を発生させ、接点の切り替えを行うものである。
【００３３】
本発明に係る切り替え部１４は、切り替え部１４の接点を切り替えるための信号の入力をマイコン１７ａから出力する構成としている。具体的には、電源回路１８よりＶＣＲモジュール１１またはＤＶＤモジュール１２に電源が供給されると、マイコン１７ａは上記電源の供給を検出し電源供給検出信号を出力する。これによりメカニカルリレーの接点が切り変わる。また、マイコン１７ａが電源の入力を検出しない電源オフ状態では、電源供給検出信号は出力されないため、メカニカルリレーは初期時の接点のままとなる。なお、切り替え部１４のメカニカルリレーの切り替えを行う信号の出力源としては、マイコン１７ａに限定されない。他の一例として、電源回路１８から各構成要素に供給される電源を分圧して電源供給検出信号としてもよい。
【００３４】
以下本発明に係る実施の形態の具体的な説明を行う。信号入力端子１４ａは、外部入力端子１３と接続して外部入力端子１３から入力される信号を後段に出力するためのものである。そのため、信号入力端子１４ａは、外部入力端子１３からのビデオ信号を入力するビデオ信号入力端子１４ａ１と、オーディオ信号を入力するオーディオ信号入力端子１４ａ２、１４ａ３とから構成されている。本発明のオーディオ信号入力端子１４ａ２、１４ａ３は、ステレオ音声の右側音声と左側音声とを入力可能な構成としている。しかしながら、オーディオ信号入力端子１４ａ２、１４ａ３の構成はこれに限定されず、モノラル音声を入力するものであってもよい。また、外部入力端子１３が光信号等の映像と音声とが重畳された信号を入力するものである場合は、信号入力端子１４ａの構成は同様に映像と音声が重畳された信号を入力する構成となる。
【００３５】
第一の切り替え部１４ｂは、信号入力端子１４ａから入力した信号と、ＶＣＲモジュール１１から入力された信号とを切り替えるためのものである。そのため、第一の切り替え部１４ｂは、ビデオ信号入力端子１４ａ１とＶＣＲモジュール１１のビデオ信号出力端子１１ａとの接続を切り替える第一のビデオ信号切り替え部１４ｂ１と、オーディオ信号入力端子１４ａ２、１４ａ３とＶＣＲモジュール１１のオーディオ信号出力端子１１ｂ、１１ｃとの接続を切り替える第一のオーディオ信号切り替え部１４ｂ２、１４ｂ３、さらには電源のオン／オフを表す電源検出信号を入力する第一の電源供給信号検出部１４ｂ４とを有する構成としている。
【００３６】
本発明の実施の形態での第一のビデオ信号切り替え部１４ｂ１、第一のオーディオ信号切り替え部１４ｂ２、１４ｂ３とは、電源供給検出信号により接点の切り替えを行うメカニカルスイッチで構成されている。そのため、第一のビデオ信号切り替え部１４ｂ１は、Ａ接点にてビデオ信号入力端子１４ａ１と接続し、Ｂ接点にてＶＣＲモジュール１１のビデオ信号出力端子１１ａと接続している。同様に第一のオーディオ信号切り替え部１４ｂ２、１４ｂ３は、Ａ接点にてオーディオ信号入力端子１４ａ２、１４ａ３と接続し、Ｂ接点にてＶＣＲモジュール１１のオーディオ信号出力端子１１ｂ、１１ｃと接続している。  
【００３７】
第一の電源供給信号検出部１４ｂ４は、入力された電源供給検出信号により第一のビデオ信号切り替え部１４ｂ１、第一のオーディオ信号切り替え部１４ｂ２、１４ｂ３の接点の切り替えを行う。電源供給信号検出部１４ｂ４は、スイッチ片ＳＷ１とコイルＳＷ２を有しており、電源供給検出信号によりコイルＳＷ２に発生した磁力によりスイッチ片ＳＷ１を動作させる。これによりスイッチ片ＳＷ１の先端に当接する切り替え片Ｔ１〜３を可動させて、第一のビデオ信号切り替え部１４ｂ１、第一のオーディオ信号切り替え部１４ｂ２、１４ｂ３の接点の切り替えを行う。
【００３８】
以下、電源供給検出信号により切り替えられる接点をＢ接点とし、バネにより付勢されて保持される接点をＡ接点とする。なお、図中では、便宜上第一のビデオ信号切り替え部１４ｂ２、第二のビデオ信号切り替え部１４ｃ２にのみ上述したスイッチ片ＳＷ１、コイルＳＷ２、電源供給信号検出部１４ｂ４とを記載しているが、他の部位（第一のビデオ信号切り替え部１４ｂ１、第二のビデオ信号切り替え部１４ｃ１、第一のオーディオ信号切り替え部１４ｂ２、第二のオーディオ信号切り替え部１４ｃ２）も同様の構成と機能を有するものである。
【００３９】
第一の切り替え部１４ｂの機能を説明する。図３は、切り替え部１４の接点の切り替えを表すタイミングチャートである。ＶＣＲモジュール１１が電源オンとなると電源供給検出信号が第一の電源供給信号検出部１４ｂ４のコイルＳＷ２に出力される。これによりコイルＳＷ２は磁界を発生させスイッチ片ＳＷ１を差動させる。さらにスイッチ片ＳＷ１は切り替え片Ｔ１〜３をＢ接点に動かす。このため、第一の切り替え部１４ｂにはＶＣＲモジュール１１からの信号が供給される。
【００４０】
一方、ＶＣＲモジュール１１が電源オフの状態では電源供給検出信号は出力されず（ロー）、コイルＳＷ２は磁界を発生させない。これによりスイッチ片ＳＷ１はバネの付勢力によりスイッチ片ＳＷ１を押戻す。さらには切り替え片Ｔ１〜３も同様にバネの力により押し戻され、Ａ接点と接続する。これにより、電源供給検出信号が入力される電源オン時には、第一の切り替え部１４ｂは、ＶＣＲモジュール１１から出力される信号を第二の切り替え部１４ｃに出力する。一方、電源供給検出信号が出力されない電源オフ時には、第一の切り替え部１４ｂは、外部入力端子１３より入力される信号を第二の切り替え部１４ｃに出力する。
【００４１】
第二の切り替え部１４ｃは、電源のオン／オフによりＤＶＤモジュール１２からの信号と、第一の切り替え部１４ｂからの信号のいずれかの信号を切り替えるためのものである。そのため、第二の切り替え部１４ｃは、第一の切り替え部１４ｂと同様に、第一のビデオ信号切り替え部１４ｂ１とＤＶＤモジュール１２のビデオ信号出力端子１２ａとの接続を切り替える第二のビデオ信号切り替え部１４ｃ１と、第一のオーディオ信号切り替え部１４ｂ２、１４ｂ３とＤＶＤモジュール１２のオーディオ信号出力端子１２ｂ、１２ｃとの接続を切り替える第二のオーディオ信号切り替え部１４ｃ２、１４ｃ３、さらにはＤＶＤモジュール１２へ電源が供給されたことを表す電源供給検出信号を入力する第二の電源供給信号検出部１４ｃ４とを有する構成としている。
【００４２】
上述した構成により、第二の切り替え部１４ｃは、第二の電源供給信号検出部１４ｃ４にＤＶＤモジュール１２に電源が供給されたことを表す電源供給検出信号が入力されると、第二のビデオ信号切り替え部１４ｃ１、第二のオーディオ信号切り替え部１４ｃ２、１４ｃ３の接点をＡ接点からＢ接点へと切り替える。このとき、リモコン装置２０等を用いてＤＶＤモジュール１２の選択がなされた状態では、電源回路１８よりＶＣＲモジュール１１への電源の供給は行われていない。そのため、第一の電源供給信号検出部１４ｂ４には電源供給検出信号が出力されず、第一の切り替え部１４ｂはＡ接点の状態を保持する。これにより、ＤＶＤモジュール１２に電源が供給された電源オン時は、第二の切り替え部１４ｃは、ＤＶＤモジュール１２からの信号を出力する。また、ＤＶＤモジュール１２の電源オフ時には、第一の切り替え部１４ｂの切り替えにより出力される外部入力端子１３からの信号を出力する。
【００４３】
第三の切り替え部１４ｄは、第二の切り替え部１４ｃの切り替えによって出力されたビデオ信号を、ドライバー部１５へ出力するか出力しないかの切り替えを行うためのものである。具体的には、ＶＣＲモジュール１１、またはＤＶＤモジュール１２に電源が供給された場合は入力される信号をドライバー部１５へ出力する。一方、ＶＣＲモジュール１１とＤＶＤモジュール１２のいずれも電源が供給されない場合は、入力された信号をドライバー部１５に出力しない。そのため、第三の切り替え部１４ｄは、第二のビデオ信号切り替え部１４ｃから入力されたビデオ信号を切り替える第三のビデオ信号切り替え部１４ｄ１と、ＶＣＲモジュール１１またはＤＶＤモジュール１２の電源供給により出力される電源供給検出信号を検出する第三の電源供給信号検出部１４ｄ２とを有する構成である。
【００４４】
上述した構成により、第三の切り替え部１４ｄは、ＶＣＲモジュール１１またはＤＶＤモジュール１２のいずれかに電源が供給されたことを示す電源供給検出信号が第三の電源供給信号検出部１４ｄ２に出力されると、第三のビデオ信号切り替え部１４ｄ１をＢ接点に切り替える。このとき、ＶＣＲモジュール１１またはＤＶＤモジュール１２のいずれの電源オンを表す電源供給検出信号が出力されているため、第三の切り替え部１４ｄにはＶＣＲモジュール１１またはＤＶＤモジュール１２のいずれかから出力される信号が入力される。第二の切り替え部１４ｃから入力された信号は、ドライバー部１５に出力され、ドライバー部１５により所定の信号処理を施された後、外部出力端子１６より表示装置へ出力される。
【００４５】
一方、ＶＣＲモジュール１１およびＤＶＤモジュール１２の両方に電源が供給されない場合は、第三のビデオ信号切り替え部１４ｄ１はＡ接点を保持する。このとき、第二の切り替え部１４ｃには外部入力端子１３より出力された信号が入力されている。これにより、第二の切り替え部１４ｃより入力された信号は、ドライバー部１５に入力されることなく外部出力端子１６より表示装置へ出力される。
（２）まとめ
【００４６】
以上説明したように、ＶＣＲモジュール１１またはＤＶＤモジュール１２のいずれかから出力される信号と、外部入力端子１３から入力される信号を、ＶＣＲモジュール１１またはＤＶＤモジュール１２に供給される電源のオン／オフに基づいて切り替え部１４にて切り替えを行う。このとき、外部入力端子１３から入力された信号は電源のオフ時にも録画再生装置を通過して出力されることとなる。さらに、第一の切り替え部１４ｂ、第二の切り替え部１４ｃ、さらには第三の切り替え部１４ｄの組合せにより、電源のオン時には、ＶＣＲモジュール１１およびＤＶＤモジュール１２から出力される信号は、共通のドライバー部１５を介して出力される。これによりドライバー部１５を共通化することが可能となり、部品構成を簡素化するとともにコストを削減することが可能となる。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４８】
【図１】本発明に係る録画再生装置のブロック構成図である。
【図２】切り替え部１４の内部構成を表す図である。
【図３】切り替え部１４の接点の切り替えを表すタイミングチャートである。
【図４】外部機器と表示装置とに接続される従来の録画再生装置のブロック構成図である。
【符号の説明】
【００４９】
１０…録画再生装置、１１…ＶＣＲモジュール、１１ａ…ビデオ信号出力端子、１１ｂ、１１ｃ…オーディオ信号出力端子、１１ｂ４…電源供給信号検出部、１２…ＤＶＤモジュール、１２ａ…ビデオ信号出力端子、１２ｂ、１２ｃ…オーディオ信号出力端子、１３…外部入力端子、１４…切り替え部、１４ａ…信号入力端子、１４ａ１…ビデオ信号入力端子、１４ａ２、１４ａ３…オーディオ信号入力端子、１４ｂ…第一の切り替え部、１４ｂ１…第一のビデオ信号切り替え部、１４ｂ２、１４ｂ３…第一のオーディオ信号切り替え部、１４ｂ４…第一の電源供給信号検出部、１４ｃ…第二の切り替え部、１４ｃ１…第二のビデオ信号切り替え部、１４ｃ２、１４ｃ３…第二のオーディオ信号切り替え部、１４ｃ４…第二の電源供給信号検出部、１４ｄ…第三の切り替え部、１４ｄ１…第三のビデオ信号切り替え部、１４ｄ２…第三の電源供給信号検出部、１５…ドライバー部、１６…外部出力端子、１７…制御部、１７ａ…マイコン、１７ｂ…不揮発性メモリ、１７ｃ…リモコンＩ／Ｆ、１８…電源回路、２０…リモコン装置、１００…表示装置、２００…外部機器
【図１】
2008123649.tif 000003
【図２】
2008123649.tif 000004
【図３】
2008123649.tif 000005
【図４】
2008123649.tif 000006